(57)【要約】【課題】基板に接続する操作が便利になる電気コネクタを提供する。【解決手段】電気コネクタは、複数の導電パッドが配置される基板と、前記基板の導電パッドに接続する複数の導電端子と、前記基板に取付られるスイッチ部材とを含む電気コネクタにおいて、前記スイッチ部材は、前記基板の導電パッドに接続するスイッチ端子と、前記スイッチ端子を保持して、前記基板に平行な平面を有する絶縁本体とを含むことを特徴とする。【選択図】図２
2011192648.tif 000002
【特許請求の範囲】
【請求項１】
複数の導電パッドが配置される基板と、
前記基板の導電パッドに接続する複数の導電端子と、
前記基板に取付られるスイッチ部材と
を含む電気コネクタにおいて、
前記スイッチ部材は、前記基板の導電パッドに接続するスイッチ端子と、前記スイッチ端子を保持して、前記基板に平行な平面を有する絶縁本体とを含むことを特徴とする電気コネクタ。
【請求項２】
前記電気コネクタは、収容空間を構成するシールドシェルを含み、前記基板が前記収容空間に配置されることを特徴とする請求項１に記載の電気コネクタ。
【請求項３】
前記シールドシェルは、前記基板を保持する第１シェルと、前記第１シェルに係合して前記収容空間を構成する第２シェルとを含むことを特徴とする請求項２に記載の電気コネクタ。
【請求項４】
前記第１シェルに、前記基板に保持される係合片が形成され、前記係合片が前記収容空間に突出していることを特徴とする請求項３に記載の電気コネクタ。
【請求項５】
前記第１シェルの係合片は、前記スイッチ部材の両側にそれぞれ配置されることを特徴とする請求項４に記載の電気コネクタ。
【請求項６】
前記第１シェルに、前記基板の先端を押圧して斜めに延出するガイド片が設けられることを特徴とする請求項３に記載の電気コネクタ。
【請求項７】
前記導電端子は、前記基板の導電パッドに接続する接続部と、前記接続部から延出する接触アームとを含み、
前記基板に、前記接触アームに対応する貫通孔が形成され、
前記第１シェルの前記貫通孔に対応する箇所には、通溝が形成されることを特徴とする請求項３に記載の電気コネクタ。
【請求項８】
前記導電端子が前記基板に二列で配置され、各導電端子は前記基板の導電パッドに接続する接続部と、前記接続部から延出する接触アームとを含み、
前記スイッチ部材は、前記基板の導電パッドに接続する接続部と、前記絶縁本体に保持される保持部と、前記絶縁本体から突出する弾性アームとを含み、
前記導電端子の接触アームの延出方向は、前記スイッチ端子の弾性アームの延出方向とほぼ直交するように配置されることを特徴とする請求項２に記載の電気コネクタ。
【請求項９】
前記シールドシェルには、前記スイッチ端子の弾性アームに対応する箇所には、開口が切り欠けとして設けられることを特徴とする請求項８に記載の電気コネクタ。
【発明の詳細な説明】
【技術分野】
【０００１】
本発明は電気コネクタに関し、特に、カードを接続するための電気コネクタに関する。
【背景技術】
【０００２】
従来技術として特許文献１を参照すると、電気コネクタを薄型化するために、従来の電気コネクタは、絶縁材料からなる基板と、基板に半田される導電端子及びカードを挿入する時にストローク端に到達したことを検知するためのスイッチ端子と、を含む。前記導電端子とスイッチ端子が直接、回路基板に半田付けされ、導電端子を保持するためのハウジングを省略することができるので、電気コネクタの薄型化に有利になる。
【先行技術文献】
【特許文献】
【０００３】
【特許文献１】米国特許第６，０８６，４２５号明細書
【発明の概要】
【発明が解決しようとする課題】
【０００４】
所定本数の導電端子は、導電性の金属板で成型された端子列連設片に所定ピッチで平行に延出するように配置されることで、回路基板に半田操作で接続する時に、前記端子列連設片によって、所定本数の導電端子が回路基板の導電パッドにそれぞれ対応するように半田できている。しかしながら、スイッチ端子は、導電端子の配置方向と異なるので、前記端子列連設片を兼用できせず、スイッチ端子を回路基板の導電パッドに独立に接続しなければならない。こうして、生産製造の工程が増加して、製造コストが向上するおそれがあった。したがって、新型の電気コネクタを開発することが必要である。
【０００５】
本発明は、上記に係る点に鑑みてなされたものであり、基板に接続する操作が便利になる電気コネクタを提供することを目的とする。
【課題を解決するための手段】
【０００６】
本発明の電気コネクタは、複数の導電パッドが配置される基板と、前記基板の導電パッドに接続する複数の導電端子と、前記基板に取付られるスイッチ部材とを含む電気コネクタにおいて、前記スイッチ部材は、前記基板の導電パッドに接続するスイッチ端子と、前記スイッチ端子を保持して、前記基板に平行な平面を有する絶縁本体とを含むことを特徴とする。
【発明の効果】
【０００７】
従来技術に比べ、本発明は以下の利点を有している。すなわち、前記スイッチ部材は、スイッチ端子を保持するための絶縁本体を有しており、絶縁本体は基板に平行な平面を有するので、基板に接続する操作時に、自動機の吸取操作によりスイッチ部材を基板に置いて、基板に接続する作業が便利になる。
【図面の簡単な説明】
【０００８】
【図１】本発明に係る電気コネクタの組立斜視図である。
【図２】図１に示す電気コネクタの部分的な分解図である。
【図３】本発明に係る電気コネクタの第１シェルと基板モジュールの斜視図である。
【図４】本発明に係る電気コネクタの基板モジュールの分解斜視図である。
【図５】本発明に係る電気コネクタの導電端子とスイッチ部材の斜視図である。
【発明を実施するための形態】
【０００９】
以下、図１〜図５を参照すると、本発明についての実施形態を詳細に説明する。本発明の電気コネクタは、カードを収容でき、シールドシェル１と、シールドシェル１に保持される基板モジュール２とを含む。
【００１０】
シールドシェル１は、金属板からなり、互いに係合する第１シェル１１と第２シェル１２とを含み、前記第１シェル１１と第２シェル１２との間にカードが挿入される収容空間１０が構成される。前記第１シェル１１の側壁に複数の固定孔１１２が設けられ、第２シェル１２の側壁に前記固定孔１１２に対応して係合する固定片１２１が設けられる。
【００１１】
基板モジュール２は、第１シェル１１に保持されて、収容空間１０に挿入されたカードに接続することによって信号を伝送できる。基板モジュール２は、基板２１と、信号伝送用の導電端子２２と、スイッチ部材３とを含む。基板２１に、前記導電端子２２とスイッチ部材３に対応する、導電パッド２１１が配置される。各導電端子２２は、基板２１の導電パッド２１１に半田付け接続する接続部２２１と、接続部２２１から収容空間１０に延出してカードに接続する接触アーム２２２とを含む。
【００１２】
スイッチモジュール３は、一対のスイッチ端子３１、３２と、スイッチ端子３１、３２を保持するための絶縁本体３３とを含み、スイッチ端子３１、３２は、絶縁本体３３に保持される保持部と、導電パッド２１１に接続する接続部３１１、３２１と、絶縁本体３３から突出する弾性アーム３１２、３２２とを含む。
【００１３】
前記基板２１の導電端子２２に接続する導電パッド２１１が二列で配置され、導電パッド２１１にそれぞれ接続した複数の導電端子２２も二列で配置され、一方の列の導電端子２２の接触アーム２２２と他方の列の導電端子２２の接触アーム２２２とは、それぞれ対向するように配置される。また、接触アーム２２２の弾性的な変形空間を増加するために、基板２１の各接触アーム２２２に対応する箇所に貫通孔２１０が設けられる。
【００１４】
スイッチ端子３１、３２の弾性アーム３１２、３２２の延出方向は、導電端子２２の接触アーム２２２の延出方向とほぼ直交するように設置され、カードの先端がスイッチ端子３１、３２に押圧することに有利となる。絶縁本体３３は基板２１に平行な平面３３１を有しているので、平面３３１により、自動機の吸取操作が便利になる。
【００１５】
図２と図３を参照すると、前記基板２１の両側に取付孔２１２がそれぞれ形成されており、本実施方式において、取付孔２１２がスイッチ部材３の両側にそれぞれ配置されている。第１シェル１１に、前記取付孔２１２に係合するための係合片１１１が上向きに延出するように設けられ、前記係合片１１１と取付孔２１２に係合することによって、基板２１と第１シェルとの間が固定される。前記スイッチ部材３の両側に位置する係合片１１１が、収容空間１０に突出するので、カードを収容空間１０に挿入する時に、カードの先端が前記係合片１１１に当接して、スイッチ部材３のスイッチ端子３１、３２が接触して検査して、また、カードの先端が係合片１１１に当接することにより、操作者にカードへの挿入力を停止させることができる。また、第１シェル１１に、基板２１の先端にガイドし係合するためのガイド片１１３が斜めに突出して、ガイド片１１３が基板２１の先端を押圧して係合することにより、カードの挿入をガイドできる。
【００１６】
導電端子２２の接触アーム２２２が第１シェル１１に接触することを防止するために、前記第１シェル１１に、基板２１の貫通孔２１０に対応する箇所には通溝１１０がそれぞれ設けられている。また、スイッチ端子３１、３２の弾性アーム３１２、３２２が第２シェル１２に接触することを防止するために、第２シェル１２の後端に開口１２０を切欠けとして形成している。
【００１７】
導電端子２２を基板２１の導電パッドに接続する時に、前記導電端子２２を所定ピッチで平行に延出する端子列連設片（図示せず）によって、複数の導電端子２２を基板２１の導電パッドに同時に半田操作している。スイッチ端子３１、３２が絶縁本体３３に保持されるので、自動機が絶縁本体３３の平面３３１に吸取することによって、二本のスイッチ端子３１、３２が同時に基板２１に半田でき、基板２１への接続操作が簡単になっている。
【００１８】
また、基板２１が第１シェル１１と第２シェル１２との間に配置され、電磁障害が防止でき、信号伝送の品質が向上になっている。
【００１９】
以上、本発明について最良の実施の形態を参照して詳細に説明したが、実施形態はあくまでも例示的なものであり、これらに限定されない。また上述の説明は、本発明に基づきなしうる細部の修正或は変更など、いずれも本発明の請求範囲に属するものとする。
【符号の説明】
【００２０】
１  シールドシェル
２  基板モジュール
２１  基板
２１０  貫通孔
２１１  導電パッド
２１２  取付孔
２２  導電端子
２２１  接続部
２２２  接触アーム
３  スイッチ部材
３１、３２  スイッチ端子
３１１、３２１  接触部
３１２、３２２  弾性アーム
３３  絶縁本体
１０  収容空間
１１  第１シェル
１１１  係合片
１１２  固定孔
１１３  ガイド片
１２  第２シェル
１２０  開口
１２１  係合片
【図１】
2011192648.tif 000003
【図２】
2011192648.tif 000004
【図３】
2011192648.tif 000005
【図４】
2011192648.tif 000006
【図５】
2011192648.tif 000007